(57)【要約】      （修正有）【課題】使用者向け情報を提供し、使用前の物理的衝撃からＰＴＰシートを保護することができ、使用後の分別廃棄性及び取出し操作性に優れ、梱包・搬送時等の効率化及び取扱性に優れたＰＴＰシートの包装体及び包装体用部材の提供。【解決手段】ＰＴＰシート１とＰＴＰシートを挟んで保持するＰＴＰシート挟持部を備え、ＰＴＰシート挟持部は複数のシート部分のうち一対の保持シート２ａ，２ｂによって形成され、一方の保持シート部２ａにはＰＴＰシートの収容部を嵌入させる収容部嵌入孔４が形成され、他方の保持シート部２ｂにはＰＴＰシートの収容部の開放口を封止する薄膜部を露出させる被包装物取出孔９が設けられ、一対の保持シート部以外の１つのシート部分がＰＴＰシートの収容部の保護空間を形成する正面保護シート部１１として、また、他の１つのシート部分が被包装物取出孔から露出する薄膜部を保護する開放口保護シート部１２として配置されている。【選択図】図１１
2020121811.tif 000002
【特許請求の範囲】
【請求項１】
被包装物を収容する収容部、及びこの収容部の開放口を封止する薄膜部を有するＰＴＰシートと、このＰＴＰシートを間に挟んで保持する一対の保持シートとからなるＰＴＰシートの包装体であり、
前記一対の保持シートは、前記ＰＴＰシートを挟んで保持するＰＴＰシート挟持部を形成しており、一方の保持シートには前記ＰＴＰシートの収容部が嵌入される収容部嵌入孔が形成されていると共に、他方の保持シートには、被包装物の取出しを可能にするために、前記ＰＴＰシートの収容部の開放口を封止する薄膜部を露出させる被包装物取出孔が設けられており、
前記一方の保持シートには、ＰＴＰシートの収容部の上部に配置された正面保護シート部と、ＰＴＰシートの薄膜部の上部に配置された開放口保護シート部と、前記一方の保持シート部と正面保護シート部との間及びこの正面保護シート部と前記開放口保護シート部との間に位置する一対の空間形成シート部とが折曲げ線を介して設けられると共に、これら一方の保持シート部、正面保護シート部、開放口保護シート部、及び一対の空間形成シート部が前記ＰＴＰシート挟持部又はＰＴＰシートの収容部の保護空間を形成し、また、
前記開放口保護シート部には、連続する２つ又は３つのシート部分がリブ形成シート部として設けられていると共に、これらリブ形成シート部を介して前記開放口保護シート部に貼着されてこの開放口保護シート部を補強する補強シート部が設けられており、また、前記２つ又は３つのリブ形成シート部と前記開放口保護シート部とで断面三角形状又は断面四角形状の補強リブ部が形成されることを特徴とする包装体。
【請求項２】
前記ＰＴＰシート挟持部の上下両側縁部又は左右両側縁部には、このＰＴＰシート挟持部の開封部を区画する一対の切離し線が形成されており、また、これら一対の切離し線は、前記ＰＴＰシート挟持部内に収容されたＰＴＰシートの上下両側縁端又は左右両側縁端より内側に位置すると共に、一方の切離し線に対して他方の切離し線が斜めに配置されており、これら一対の切離し線が切り離された際には、前記ＰＴＰシート挟持部内からのＰＴＰシートの抜出しを可能にすると共に、このＰＴＰシート挟持部内にＰＴＰシートを一時的に保持する台形状のシート抜出開口が形成されることを特徴とする請求項１に記載の包装体。
【請求項３】
被包装物を収容する収容部、及びこの収容部の開放口を封止する薄膜部を有するＰＴＰシートを間に挟んで保持可能な一対のＰＴＰシート挟持部を具備する、1枚のシートからなる、ＰＴＰシートの包装体用部材であり、
前記ＰＴＰシート挟持部は、折り曲げ線を介して前記ＰＴＰシートを挟んで保持する一対の保持シート部となるように配置され、一方の保持シート部には前記ＰＴＰシートの収容部が嵌入される収容部嵌入孔が形成されていると共に、他方の保持シート部には、被包装物の取出しを可能にするために前記ＰＴＰシートの薄膜部で封止されたＰＴＰシートの前記収容部の開放口側を露出させる被包装物の取出しを可能にする被包装物取出孔が設けられたＰＴＰシートの包装体用部材であって、
前記包装体用部材に複数の折曲げ線が設けられ、当該折曲げ線を介して折り曲げられた前記ＰＴＰシート挟持部を含まない部分にＰＴＰシートの収容部の保護空間を形成できるように前記折曲げ線が配置され、更に前記ＰＴＰシート挟持部を含む部分のうち少なくとも前記被包装物取出孔から露出した前記薄膜部で封止されたＰＴＰシートの前記収容部の開放口を保護するための開放口保護シート部として配置されており、また、
前記ＰＴＰシートの収容部の保護空間が、前記一方の保持シート部と、ＰＴＰシートの収容部の上部に配置された正面保護シート部と、折曲げ線を介して一方の保持シート部と正面保護シート部との間及びこの正面保護シート部と前記開放口保護シート部との間に位置する一対の空間形成シート部とで形成されており、更に、
前記開放口保護シート部には、連続する２つ又は３つのシート部分がリブ形成シート部として設けられていると共に、これらリブ形成シート部を介して前記開放口保護シート部に貼着されてこの開放口保護シート部を補強する補強シート部が設けられており、また、前記２つ又は３つのリブ形成シート部と前記開放口保護シート部とで断面三角形状又は断面四角形状の補強リブ部が形成されていることを特徴とするＰＴＰシートの包装体用部材。
【請求項４】
前記正面保護シート部には、前記保護空間内に位置するＰＴＰシートの収容部を観察するための観察孔が形成されていることを特徴とする請求項３に記載のＰＴＰシートの包装体用部材。
【請求項５】
前記他方の保持シート部には、前記一方の保持シート部に折曲げ線を介して連接された空間形成シート部に貼着されてこの空間形成シート部を補強する空間補強シート部が設けられており、また、前記空間補強シート部の側縁端中央部に係合片が形成されていると共に、前記断面三角又は四角形状の補強リブ部に係止孔が形成されており、前記係合片を前記係止孔内に嵌入してロール型包装形態を維持するようにしたことを特徴とする請求項４に記載のＰＴＰシートの包装体用部材。
【請求項６】
前記ＰＴＰシート挟持部を形成する他方の保持シート部には開封部を区画する一対の切離し線が形成されており、この一対の切離し線が切り離された際には、前記ＰＴＰシート挟持部内から前記ＰＴＰシートの抜出しを可能にするシート抜出開口が形成されることを特徴とする請求項３〜５のいずれかに記載のＰＴＰシートの包装体用部材。
【請求項７】
前記一対の切離し線が、前記ＰＴＰシート挟持部内に収容されたＰＴＰシートの上下両側縁端又は左右両側縁端より内側に位置すると共に、一方の切離し線に対して他方の切離し線が斜めに配置されて形成されており、この一対の切離し線が切り離された際に台形状のシート抜出開口が形成されることを特徴とする請求項６に記載のＰＴＰシートの包装体用部材。
【請求項８】
被包装物を収容する収容部、及びこの収容部の開放口を封止する薄膜部を有するＰＴＰシートと、このＰＴＰシートを挟んで保持するＰＴＰシート挟持部を具備する包装体であり、
前記ＰＴＰシート挟持部は、前記ＰＴＰシートを挟んで保持する一対の保持シートによって挟持されており、一方の保持シートには前記ＰＴＰシートの収容部が嵌入される収容部嵌入孔が形成されていると共に、他方の保持シートには、被包装物の取出しを可能にするために前記ＰＴＰシートの薄膜部を露出させる被包装物取出孔が設けられ、
前記包装体に1または複数の折曲げ線が設けられ、当該折曲げ線を介して折り曲げられた前記包装体の前記ＰＴＰシート挟持部を含まない部分(ＰＴＰシート非挟持部)が、ＰＴＰシートの上部に配置された正面保護シート部と、前記ＰＴＰシート挟持部を含む部分のうち少なくとも前記被包装物取出孔から露出した前記薄膜部を保護するための開放口保護シート部とを有して前記ＰＴＰシート挟持部又はＰＴＰシートの収容部の保護空間を形成し、更に、
前記開放口保護シート部には、連続する２つ又は３つのシート部分がリブ形成シート部として設けられていると共に、これらリブ形成シート部を介して前記開放口保護シート部に貼着されてこの開放口保護シート部を補強する補強シート部が設けられており、また、前記２つ又は３つのリブ形成シート部と前記開放口保護シート部とで断面三角形状又は断面四角形状の補強リブ部が形成されていることを特徴とする包装体。
【発明の詳細な説明】
【技術分野】
【０００１】
この発明は、薬剤等の被包装物を収容する収容部とこの収容部の開放口を封止する薄膜部とを有するＰＴＰシートを更に別の包装形態に包装し、ＰＴＰシートの収容部内の薬剤等の被包装物について、例えば薬剤の薬品名や薬効、メーカー名や品番、薬剤の取出し方法、服用時や服用後の注意事項等の様々な被包装物に関する情報を表示できるだけでなく、使用前にはＰＴＰシートを物理的な衝撃から確実に保護することができると共に、シート状やロール型等の包装形態に構成することができるＰＴＰシートの包装体に関する。
【背景技術】
【０００２】
ＰＴＰ(Press Through Package)シートは、薬剤等の被包装物を収容するための少なくとも１つの凹状の収容部とこの収容部の開放口を封止する薄膜部とを有するものであり、前記収容部は、合成樹脂シートを成形することにより表面側に突出し裏面側に開放口を有する収容部を有する成形シートとして形成されており、また、前記薄膜部は、前記成形シートの裏面側にヒートシール等の手段で貼着されて前記収容部の開放口を封止する例えばアルミニウム箔等の金属薄膜で形成されており、そして、前記薄膜部で封止された収容部内から被包装物を取り出す際には、収容部をその表面側から押圧し、この収容部の開放口を封止する薄膜部を押し破り、収容部内から被包装物を押し出すようにして取り出す構造になっている。このようなＰＴＰシートは、薬剤等の被包装物が個々に包装され、コンパクトで防湿性等に優れていることから保管や数量管理等に便利であり、しかも、成形シートの収容部以外の部分や収容部の開放口を封止する薄膜部等には薬剤名やメーカー名等を表示できるという利点を有することから、錠剤やカプセル等の薬剤、特に医薬の包装形態として汎用されている。
【０００３】
しかしながら、特に医薬等の薬剤については、その種類、用途、使用目的等によって、薬品名や薬効、メーカー名や品番、薬剤の取出し方法、服用時や服用後の注意事項等の多種多様な情報（以下、単に「使用者向け情報」ということがある。）を表示する必要が生じることから、ＰＴＰシートには直接に表示し切れない場合があり、これを補うためのＰＴＰシートの包装形態として、例えば以下に示すような包装形態が提案されている。
【０００４】
特許文献１には、台紙に透窓を有する台紙と、商品を入れるための膨出したポケット部及びこのポケット部の開放口を封止するアルミニウム箔等の密封シール部材を有するプラスチックシートとからなり、このプラスチックシートのポケット部を前記透窓内に嵌め込んで、又は、嵌め込まないで前記透窓前面に配設し、前記ポケット部内の商品を取り出す際には、ポケット部を圧迫して商品を押圧し、密封シール部材を破って開放口及び透窓から取り出すと共に、前記台紙には使用者向け情報を表示できるようにした包装体が提案されている。
【０００５】
しかしながら、この特許文献１の包装体においては、アルミニウム箔等の密封シール部材を有するプラスチック・金属製のプラスチックシートと紙製の台紙とが互いに固着されており、使用後の分別廃棄時にこれらプラスチック・金属製のプラスチックシートと紙製の台紙とを分別できないという問題（使用後の分別廃棄性の問題）があり、また、台紙がプラスチックシートに比べて大幅に大きくなり、箱詰め等の梱包をして搬送する際に効率が低下するという問題（梱包・搬送時の効率化の問題）があり、更に、台紙の透窓内に嵌め込まれたプラスチックシートのポケット部が台紙の表面より上方に突出しているので、梱包・搬送時等に誤ってこのポケット部を押圧し、ポケット部を変形させ、更にはポケット部の開放口を封止するアルミニウム箔等の密封シール部材を破損させる等の虞があるという問題（梱包・搬送時等の取扱性の問題）があった。
【０００６】
また、特許文献２及び３には、薬剤等の内容物が収容されたＰＴＰシートが、服用上の留意事項等を記載したカード型包装材によって封止されてなり、前記カード型包装材が一対の厚紙によって構成され、また、前記ＰＴＰシートが前記一対の厚紙の間に封止されており、カード型包装材には単に患者向けに限らず、使用上の注意、服用履歴、症状のメモ等の医師、薬剤師等も含めた多種多様な使用者向け情報を表示できるようにしたカード型包装体が開示されている。しかしながら、これら特許文献２及び３のカード型包装体においても、前述した使用後の分別廃棄性、梱包・搬送時の効率化、梱包・搬送時等の取扱性等において、依然として改善の余地がある。
【０００７】
更に、特許文献４には、ブリスター包装体（いわゆるＰＴＰシート）とこのブリスター包装体を覆うカバーケースとからなり、前記カバーケースの表面側にはブリスター包装体の収容部（凸部）に対応する位置に開口部を形成し、カバーケースの裏面側には１回に取り出される収容部全体と対応する部位毎に開封部を形成し、更に、このカバーケースには取出し操作や注意事項等の従来のブリスター包装体では十分に表示し切れなかった使用者向け情報を表示できるようにしたカバーケース付きブリスター包装体が提案されている。しかしながら、この特許文献４のカード型包装体においては、前述した使用後の分別廃棄性の問題については解消されているものの、梱包・搬送時の効率化や梱包・搬送時等の取扱性等においては、依然として問題が残されている。
【０００８】
また、特許文献５には、成形体が収容されたＰＴＰシートと、このＰＴＰシートを間に挟んで位置し、ＰＴＰシートが位置する部分の外側で互いに貼着され、使用者向け情報を表示することができる第１及び第２のシートとからなるカード型包装体であって、前記第１及び第２のシートの一方が開放シートであって、この開放シートには、前記第１及び第２のシートの間を貼着する部分と前記ＰＴＰシートが位置する部分との間に機械的強度が周囲に比べて低い線状部分が形成され、この線状部分を切り離すことにより前記第１及び第２のシートの間からＰＴＰシートを取り出す開口部が形成されるカード型包装体が提案されている。しかしながら、この特許文献５のカード型包装体においては、特許文献４の場合と同様に、使用後の分別廃棄性の問題については解消されているものの、梱包・搬送時の効率化や梱包・搬送時等の取扱性等については依然として問題が残されており、しかも、ＰＴＰシートが第１及び第２のシート間に固着されていないので、特にＰＴＰシートが比較的小さなものであるような場合には、患者等の使用者が線状部分を切り離し、開口部を形成してＰＴＰシートを取り出す際に、不用意にＰＴＰシートが脱落し、更には誤って紛失させてしまうという問題（使用者の取出し操作性の問題）もあり、更なる改善の余地がある。
【０００９】
更に、特許文献６には、連続した複数のカード状シートで構成されるブランク板を折り畳んで構成され、前記複数のカード状シートのうちの２枚の間にＰＴＰを挟んで保持するカード型包装容器であり、前記カード状シートが、付加情報が印刷される第一シートと、ＰＴＰの突出部が貫通する第一窓部、上端から前記第一窓部の上部まで斜めに形成された第一切断線、及び前記第一窓部の下部から下端まで直線状に形成された第二切断線を有する第二シートと、ＰＴＰの突出部が貫通する第二窓部、及び上端から下端まで直線状に形成された第三切断線を有する第三シートと、付加情報が印刷されると共に前記第三シートとの境界に切離線を有する第四シートとで構成され、前記第二シートと第三シートとの間にＰＴＰを挟持するようにしたカード型包装容器が提案されている。しかしながら、この特許文献６のカード型包装容器においては、包装形態における包装容器の大きさに対して付加情報を表示する面積を大幅に確保でき、使用後の分別廃棄性の問題や梱包・搬送時の効率化の問題については解消されているものの、梱包・搬送時等の取扱性において依然として問題が残されているほか、ＰＴＰが比較的小さなものであるような場合には、使用者の取出し操作性においても必ずしも十分ではない。
【００１０】
更にまた、特許文献６には、ベースシートと、このベースシートの一辺に第１の折り曲げ部を介して連結する中シートと、前記ベースシートの前記一辺とは反対側の他辺に第２の折り曲げ部を介して連結するカバーシートとを備え、前記中シートをベースシートに折り重ねた際にこれらのシート間にＰＴＰシートを挟持するＰＴＰシート用包装体であり、前記ＰＴＰシートを挟持するベースシート側にはＰＴＰシートに封入された薬剤を取り出すための窓孔が形成され、また、中シート側にはＰＴＰシートに封入された薬剤を押圧するためのスリットが形成されており、前記カバーシートでスリットから露出するＰＴＰシートのブリスター部を保護できるようにしたＰＴＰシート用包装体が提案されている。しかしながら、この特許文献６のＰＴＰシート用包装体においては、使用後の分別廃棄性の問題や梱包・搬送時等の取扱性の問題は解決されているものの、ベースシート、中シート、及びカバーシートで構成される包装体がＰＴＰシート全体を保持する構造になっているために、依然として梱包・搬送時の効率化の問題が残り、また、ＰＴＰが比較的小さなものであるような場合には使用者の取出し操作性においても十分ではない。
【先行技術文献】
【特許文献】
【００１１】
【特許文献１】実開昭52-168,780号公報
【特許文献２】特開平10-059,415号公報
【特許文献３】特開2006-248,545号公報
【特許文献４】特開2001-046,467号公報
【特許文献５】特開2009-208,812号公報
【特許文献６】実用新案登録第3,181,335号公報
【特許文献７】特開2015-070,938号公報
【発明の概要】
【発明が解決しようとする課題】
【００１２】
そこで、本発明者らは、使用時には患者等の使用者に対して十分な使用者向け情報を提供できるだけでなく、上述したこれまでの包装形態のうちで特に、使用前にＰＴＰシートを物理的衝撃から確実に保護するＰＴＰシートの保護性、梱包・搬送時の効率化、及び梱包・搬送時等の取扱性においても問題がないＰＴＰシートの包装形態について鋭意検討した結果、 複数の折曲げ線を有して複数のシート部分に折り曲げられる包装材料シートを用い、これら複数のシート部分のうちの一対の保持シート部によってＰＴＰシートを挟んで保持するＰＴＰシート挟持部を構成し、一方の保持シート部にはＰＴＰシートの収容部が嵌入される収容部嵌入孔を形成すると共に、他方の保持シート部にはＰＴＰシートの収容部の開放口を封止する薄膜部を露出させる被包装物取出孔を設け、また、複数のシート部分のうちの一対の保持シート部以外の１つのシート部分をＰＴＰシートの収容部の保護空間を形成する正面保護シート部として配置し、また、他の１つのシート部分を被包装物取出孔から露出する薄膜部を保護する開放口保護シート部として配置することにより、特に、ＰＴＰシートの保護性、梱包・搬送時の効率化、及び梱包・搬送時等の取扱性を併せて達成できることを見出し、本発明のＰＴＰシートの包装体を完成した。
【００１３】
また、本発明者らは、使用時には患者等の使用者に対して十分な使用者向け情報を提供できるだけでなく、上述したこれまでの包装形態のうちで特に使用後の分別廃棄性、及び使用者の取出し操作性においても問題がないＰＴＰシートの包装形態について鋭意検討した結果、ＰＴＰシートを間に挟んで互いに貼着され、ＰＴＰシートを保持するＰＴＰシート挟持部を有する一対の保持シートにおいて、いずれか一方の保持シートに前記ＰＴＰシート挟持部の開封部を区画する一対の切離し線を形成し、この一対の切離し線については、前記ＰＴＰシート挟持部内に収容されたＰＴＰシートの互いに相対する両側縁端より内側に位置すると共に、一方の切離し線を他方の切離し線に対して斜めに配置し、これら一対の切離し線を切り離した際に台形状のシート抜出開口（開封部）が形成される構成とすることにより、ＰＴＰシート挟持部内に保持されたＰＴＰシートが、一対の切離し線を切り離してシート抜出開口を形成した際には直ちには脱落せず、しかも、このシート抜出開口から容易に抜き出すことができ、特に、使用後の分別廃棄性、及び使用者の取出し操作性を達成できることを見出し、本発明のＰＴＰシートの包装体を完成した。
【００１４】
従って、本発明の目的は、使用時には患者等の使用者に対して十分な使用者向け情報を提供できるだけでなく、使用前にはＰＴＰシートを物理的衝撃から確実に保護することができると共に、使用後の分別廃棄性、使用者の取出し操作性、梱包・搬送時の効率化、及び梱包・搬送時等の取扱性においても優れたＰＴＰシートのシート状包装体を提供することにある。
また、本発明の他の目的は、使用時には患者等の使用者に対して十分な使用者向け情報を提供できるだけでなく、使用後の分別廃棄性、及び使用者の取出し操作性においても優れたＰＴＰシートのロール型包装体を提供することにある。
【課題を解決するための手段】
【００１５】
すなわち、本発明の要旨は、以下の通りである。
(1)  被包装物を収容する収容部、及びこの収容部の開放口を封止する薄膜部を有するＰＴＰシートと、このＰＴＰシートを間に挟んで保持する一対の保持シートとからなるＰＴＰシートの包装体であり、
前記一対の保持シートは、前記ＰＴＰシートを挟んで保持するＰＴＰシート挟持部を形成しており、一方の保持シートには前記ＰＴＰシートの収容部が嵌入される収容部嵌入孔が形成されていると共に、他方の保持シートには、被包装物の取出しを可能にするために、前記ＰＴＰシートの収容部の開放口を封止する薄膜部を露出させる被包装物取出孔が設けられており、
前記一方の保持シートには、ＰＴＰシートの収容部の上部に配置された正面保護シート部と、ＰＴＰシートの薄膜部の上部に配置された開放口保護シート部と、前記一方の保持シート部と正面保護シート部との間及びこの正面保護シート部と前記開放口保護シート部との間に位置する一対の空間形成シート部とが折曲げ線を介して設けられると共に、これら一方の保持シート部、正面保護シート部、開放口保護シート部、及び一対の空間形成シート部が前記ＰＴＰシート挟持部又はＰＴＰシートの収容部の保護空間を形成し、また、
前記開放口保護シート部には、連続する２つ又は３つのシート部分がリブ形成シート部として設けられていると共に、これらリブ形成シート部を介して前記開放口保護シート部に貼着されてこの開放口保護シート部を補強する補強シート部が設けられており、また、前記２つ又は３つのリブ形成シート部と前記開放口保護シート部とで断面三角形状又は断面四角形状の補強リブ部が形成されることを特徴とする包装体。
(2)  前記ＰＴＰシート挟持部の上下両側縁部又は左右両側縁部には、このＰＴＰシート挟持部の開封部を区画する一対の切離し線が形成されており、また、これら一対の切離し線は、前記ＰＴＰシート挟持部内に収容されたＰＴＰシートの上下両側縁端又は左右両側縁端より内側に位置すると共に、一方の切離し線に対して他方の切離し線が斜めに配置されており、これら一対の切離し線が切り離された際には、前記ＰＴＰシート挟持部内からのＰＴＰシートの抜出しを可能にすると共に、このＰＴＰシート挟持部内にＰＴＰシートを一時的に保持する台形状のシート抜出開口が形成されることを特徴とする請求項１に記載の包装体。
【００１６】
(3)  被包装物を収容する収容部、及びこの収容部の開放口を封止する薄膜部を有するＰＴＰシートを間に挟んで保持可能な一対のＰＴＰシート挟持部を具備する、1枚のシートからなる、ＰＴＰシートの包装体用部材であり、
前記ＰＴＰシート挟持部は、折り曲げ線を介して前記ＰＴＰシートを挟んで保持する一対の保持シート部となるように配置され、一方の保持シート部には前記ＰＴＰシートの収容部が嵌入される収容部嵌入孔が形成されていると共に、他方の保持シート部には、被包装物の取出しを可能にするために前記ＰＴＰシートの薄膜部で封止されたＰＴＰシートの前記収容部の開放口側を露出させる被包装物の取出しを可能にする被包装物取出孔が設けられたＰＴＰシートの包装体用部材であって、
前記包装体用部材に複数の折曲げ線が設けられ、当該折曲げ線を介して折り曲げられた前記ＰＴＰシート挟持部を含まない部分にＰＴＰシートの収容部の保護空間を形成できるように前記折曲げ線が配置され、更に前記ＰＴＰシート挟持部を含む部分のうち少なくとも前記被包装物取出孔から露出した前記薄膜部で封止されたＰＴＰシートの前記収容部の開放口を保護するための開放口保護シート部として配置されており、また、
前記ＰＴＰシートの収容部の保護空間が、前記一方の保持シート部と、ＰＴＰシートの収容部の上部に配置された正面保護シート部と、折曲げ線を介して一方の保持シート部と正面保護シート部との間及びこの正面保護シート部と前記開放口保護シート部との間に位置する一対の空間形成シート部とで形成されており、更に、
前記開放口保護シート部には、連続する２つ又は３つのシート部分がリブ形成シート部として設けられていると共に、これらリブ形成シート部を介して前記開放口保護シート部に貼着されてこの開放口保護シート部を補強する補強シート部が設けられており、また、前記２つ又は３つのリブ形成シート部と前記開放口保護シート部とで断面三角形状又は断面四角形状の補強リブ部が形成されていることを特徴とするＰＴＰシートの包装体用部材。
【００１７】
(4)  前記正面保護シート部には、前記保護空間内に位置するＰＴＰシートの収容部を観察するための観察孔が形成されていることを特徴とする請求項３に記載のＰＴＰシートの包装体用部材。
(5)  前記他方の保持シート部には、前記一方の保持シート部に折曲げ線を介して連接された空間形成シート部に貼着されてこの空間形成シート部を補強する空間補強シート部が設けられており、また、前記空間補強シート部の側縁端中央部に係合片が形成されていると共に、前記断面三角又は四角形状の補強リブ部に係止孔が形成されており、前記係合片を前記係止孔内に嵌入してロール型包装形態を維持するようにしたことを特徴とする請求項４に記載のＰＴＰシートの包装体用部材。
【００１８】
(6)  前記ＰＴＰシート挟持部を形成する他方の保持シート部には開封部を区画する一対の切離し線が形成されており、この一対の切離し線が切り離された際には、前記ＰＴＰシート挟持部内から前記ＰＴＰシートの抜出しを可能にするシート抜出開口が形成されることを特徴とする請求項３〜５のいずれかに記載のＰＴＰシートの包装体用部材。
(7)  前記一対の切離し線が、前記ＰＴＰシート挟持部内に収容されたＰＴＰシートの上下両側縁端又は左右両側縁端より内側に位置すると共に、一方の切離し線に対して他方の切離し線が斜めに配置されて形成されており、この一対の切離し線が切り離された際に台形状のシート抜出開口が形成されることを特徴とする請求項６に記載のＰＴＰシートの包装体用部材。
【００１９】
(8)  被包装物を収容する収容部、及びこの収容部の開放口を封止する薄膜部を有するＰＴＰシートと、このＰＴＰシートを挟んで保持するＰＴＰシート挟持部を具備する包装体であり、
前記ＰＴＰシート挟持部は、前記ＰＴＰシートを挟んで保持する一対の保持シートによって挟持されており、一方の保持シートには前記ＰＴＰシートの収容部が嵌入される収容部嵌入孔が形成されていると共に、他方の保持シートには、被包装物の取出しを可能にするために前記ＰＴＰシートの薄膜部を露出させる被包装物取出孔が設けられ、
前記包装体に1または複数の折曲げ線が設けられ、当該折曲げ線を介して折り曲げられた前記包装体の前記ＰＴＰシート挟持部を含まない部分(ＰＴＰシート非挟持部)が、ＰＴＰシートの上部に配置された正面保護シート部と、前記ＰＴＰシート挟持部を含む部分のうち少なくとも前記被包装物取出孔から露出した前記薄膜部を保護するための開放口保護シート部とを有して前記ＰＴＰシート挟持部又はＰＴＰシートの収容部の保護空間を形成し、更に、
前記開放口保護シート部には、連続する２つ又は３つのシート部分がリブ形成シート部として設けられていると共に、これらリブ形成シート部を介して前記開放口保護シート部に貼着されてこの開放口保護シート部を補強する補強シート部が設けられており、また、前記２つ又は３つのリブ形成シート部と前記開放口保護シート部とで断面三角形状又は断面四角形状の補強リブ部が形成されていることを特徴とする包装体。
【発明の効果】
【００２０】
本発明のＰＴＰシートの包装体によれば、単に使用時に患者等の使用者に対して十分な使用者向け情報を提供できるだけでなく、使用前にはＰＴＰシートを物理的衝撃から確実に保護するＰＴＰシートの保護性に優れており、また、使用後の分別廃棄性、使用者の取出し操作性、梱包・搬送時の効率化、及び梱包・搬送時等の取扱性においても優れたＰＴＰシートの包装形態を提供することができる。
【００２１】
また、本発明のＰＴＰシートの包装体によれば、単に使用時に患者等の使用者に対して十分な使用者向け情報を提供できるだけでなく、使用後の分別廃棄性、及び使用者の取出し操作性においても優れたＰＴＰシートの包装形態を提供することができる。
【図面の簡単な説明】
【００２２】
【図１】図１は、本発明の実施例１に係るシート状包装体の表面を示す正面図である。
【図２】図２は、図１に示すシート状包装体の裏面を示す裏面図である。
【図３】図３は、図１に示すシート状包装体において、その裏面側にシート抜出開口を形成した状態を示す裏面図である。
【図４】図４は、図１に示すシート状包装体において、その裏面側に形成したシート抜出開口からＰＴＰシートを抜き出す際の様子を示す斜視図である。
【図５】図５は、本発明の実施例２に係るロール型包装体の表面を示す正面図である。
【図６】図６は、図５に示すロール型包装体のＡ−Ａ線断面 を示す断面図である。
【図７】図７は、図５に示すロール型包装体の展開状態表面側を示す斜視図である。
【図８】図８は、図５に示すロール型包装体の展開状態裏面側を示す斜視図である。
【図９】図９は、図５に示すロール型包装体を形成するためのシートの表面側を示す正面図である。
【図１０】図１０は、図５に示すロール型包装体を形成するためのシートの裏面側を示す裏面図である。
【図１１】図１１は、図５に示すロール型包装体の分解組立図である。
【発明を実施するための形態】
【００２３】
以下、添付図面に示す本発明の実施形態（実施例１）に係るＰＴＰシートの包装体（シート状包装体）、及び本発明の実施形態（実施例２）に係るＰＴＰシートの包装体（ロール型包装体）に基づいて、本発明のＰＴＰシートの包装体を説明する。
【００２４】
〔実施例１：シート状包装体〕
図１〜図４において、本発明の実施例１に係るシート状包装体ＰSの実施形態が示されている。このシート状包装体ＰSは、薬剤等（例えば、錠剤やカプセル剤等）の被包装物（図示せず）を収容する収容部1a、及びこの収容部1aの開放口1cを封止する薄膜部1bを有するＰＴＰシート１と、このＰＴＰシート１を間に挟んで保持する矩形状の一対の保持シート２(2a,2b)からなる包装材料シートとで構成されている。ここで、前記ＰＴＰシート１は、その収容部1aがＰＶＣ、ＰＶＤＣ、ＰＰ等のプラスチック材料で形成され、また、この収容部1aの開放口1cを封止する薄膜部1bがアルミニウム箔等の金属箔材料で形成され、更に、前記包装材料シートは、厚紙、樹脂等の材料が使用でき、好ましくは厚紙等の紙材料で形成される。
【００２５】
この実施例１において、前記一対の保持シート２(2a,2b)は、図示外の折曲げ線を介して２つのシート部分が一対の保持シート２として互いに連接する１枚の包装材料シートで構成され、折曲げ線に沿って二つ折りにしてＰＴＰシート１を挟み込む構造になっており、また、これら一対の保持シート2a,2bは前記ＰＴＰシート１を挟んで保持するＰＴＰシート挟持部３Cの外側の左右両側縁部３L,３Rにおいて互いに図示外の糊付部で貼着されており、そして、一方（表面側）の保持シート2aには前記ＰＴＰシート１の収容部1aが嵌入される収容部嵌入孔４が形成されており、また、他方の（裏面側）の保持シート2bには、前記ＰＴＰシート挟持部３cの左右両側縁部に前記ＰＴＰシート挟持部３Cの開封部3dを区画する一対の切離し線5a,5bが形成されており、これら一対の切離し線5a,5bを切り離して開封部3dを開いた際には、シート抜出開口６が形成され、このシート抜出開口６を介してＰＴＰシート１を取り出すことができるようになっている。
【００２６】
また、前記一対の切離し線5a,5bは、前記ＰＴＰシート挟持部３C内に収容されたＰＴＰシート１の左右両側縁端より内側に位置すると共に、一方の切離し線5aに対して他方の切離し線5bが斜めに配置され、これら一方の切離し線5aにより区画される開封部3dは裏面側保持シート2bの上下両側縁と相俟って略々台形状をなし、これによって、一対の切離し線5a,5bを切り離した際に形成されるシート抜出開口６が略々台形状となり、使用者により一対の切離し線5a,5bが切り離されてシート抜出開口６が形成された際には、ＰＴＰシート１は、その上下両側縁端が形成されたシート抜出開口６内に位置してフリーの状態になると共に、その左右両側縁端が一時的にシート抜出開口６の左右両開口縁部に係止して保持され、直ちにはシート抜出開口６から抜け落ちることがなく、また、ＰＴＰシート１をシート抜出開口６から抜き出して分別処理する際には、このＰＴＰシート１を少し前後左右にずらすことにより、あるいは、少しだけ弾性変形させることにより、このＰＴＰシート１全体をＰＴＰシート挟持部３C内から容易に抜き出すことができるように形成されている。
【００２７】
そして、この実施例１のシート状包装体ＰSにおいては、一対の切離し線5a,5bを有する裏面側保持シート2bが、収容部嵌入孔４を有する表面側保持シート2aに比べて、その前後方向幅寸法において若干大きく形成されており、一対の切離し線5a,5bで区切られて表面側保持シート2aより突出する裏面側保持シート2bの端縁部がこれら一対の切離し線5a,5bを切り離す際の開封部3dの把持部８となっており、また、一対の切離し線5a,5bで区画された開封部3dには被包装物を取り出すための被包装物取出孔９が設けられている。従って、このシート状包装体ＰSの使用に際しては、患者等の使用者は、先ず、ＰＴＰシート１の収容部1aをその上方から押圧し、収容部1a内の薬剤等（例えば、錠剤やカプセル剤等）の被包装物を押して収容部1aの開放口1cを封止する薄膜部1bを破り、ＰＴＰシート挟持部３Cの開封部3dに形成された被包装物取出孔９を介して被包装物を取り出して使用し、また、被包装物を取り出して使用した後には、開封部3dの把持部８を摘んで一対の切離し線5a,5bを切り離し、裏面側保持シート2bにシート抜出開口６を形成し、このシート抜出開口６からＰＴＰシート１を抜き出して包装材料シートと分別廃棄処理を行う。
【００２８】
なお、この実施例１のシート状包装体ＰSにおいては、一対の保持シート２(2a,2b)が図示外の折曲げ線を介して互いに連接する１枚の包装材料シートで構成されているが、必要によりそれぞれ別個のシートで形成されていてもよく、また、一対の保持シート2a,2bのＰＴＰシート挟持部３Cの外側であって左右両側縁部３L,３Rが互いに貼着され、裏面側保持シート2bにおいてＰＴＰシート挟持部３Cの左右両側縁部に一対の切離し線5a,5bが形成されているが、ＰＴＰシートの形状等に対応して、一対の保持シートのＰＴＰシート挟持部の外側であって上下両側縁部を互いに貼着し、裏面側保持シートにおいてＰＴＰシート挟持部の上下両側縁部に一対の切離し線を形成する構成にしてもよい。
【００２９】
また、必要により、収容部嵌入孔を有する一方の保持シート（表面側保持シート）とは異なる他方の保持シート（裏面側保持シート）には、ＰＴＰシートの収容部の開放口に対応する位置に、収容部内から薄膜部を破って解放された被包装物を取り出すための被包装物取出孔を設け、これによって、一対の切離し線を切り離してシート抜出開口を形成することなく、収容部をその表面側から押圧し、この収容部の開放口を封止する薄膜部を押し破り、収容部内から押し出された被包装物を被包装物取出孔から取り出すようにしてもよい。
【００３０】
この実施例１のシート状包装体ＰSにおいては、ＰＴＰシート１を間に挟んで保持する一対の保持シート2a,2bの表面及び裏面に例えば薬剤名等の使用者に対する必要な使用者向け情報７を表示することができるほか、使用後の分別廃棄時には、シート抜出開口６からＰＴＰシート１を抜き出し、例えば厚紙製の一対の保持シート2a,2bとプラスチック・金属製のＰＴＰシート１とを分別し、仕分けして廃棄処分をすることができるので、使用後の分別廃棄性に優れており、更に、患者等の使用者が使用する際には、たとえＰＴＰシートが比較的小さなものであっても、また、患者等の使用者が高齢者等であったとしても、一対の切離し線5a,5bを切り離してシート抜出開口６を形成した際に、直ちにはＰＴＰシート１がシート抜出開口６から抜け出して不用意に脱落したり、紛失したりすることがなく、使用者の取出し操作性においても優れている。
【００３１】
〔実施例２：ロール型包装体〕
図５〜図８において、本発明の実施例２に係るロール型包装体ＰRの実施形態が示されている。このロール型包装体ＰRは、前記実施例１のシート状包装体ＰSと同様の構成からなる本体部10と、この本体部10を形成する一対の保持シート部２(2a,2b)に保持されたＰＴＰシート１の収容部1aの外側に位置する正面保護シート部11と、前記本体部10を形成する一対の保持シート部2a,2bに保持されたＰＴＰシート１の薄膜部1bの外側に位置する開放口保護シート部12と、前記一方の表面側保持シート部2aと正面保護シート部11との間、及び前記正面保護シート部11と開放口保護シート部12との間にそれぞれ折曲げ線14a,14b,14c,14dを介して位置し、正面保護シート部11と開放口保護シート部12との間に前記本体部10を収容し、この本体部10の一対の保持シート部2a,2bに保持されたＰＴＰシート１を保護する保護空間15を形成する一対の空間形成シート部13a,13bとを備えている。ここで、前記正面保護シート部11は折曲げ線14a、一方の空間形成シート部13a、及び折曲げ線14bを介して本体部10を形成する一対の保持シート部２のうちの一方の表面側保持シート部2aに連接され、また、前記開放口保護シート部12は折曲げ線14c、他方の空間形成シート部13b、及び折曲げ線14dを介して前記正面保護シート部11に連接されている。
【００３２】
なお、この実施例２においても、実施例１の場合と同様に、裏面側保持シート部2bには、そのシート抜出開口６が形成される部分であってＰＴＰシート１の開放口1cに対応する位置に、被包装物取出孔９が形成されており、これによって、ＰＴＰシート１の収容部1aを押圧し、この収容部1aの開放口1cを封止する薄膜部1bを押し破り、被包装物取出孔９から収容部1a内の図示外の被包装物を取り出すことができるようになっており、また、ＰＴＰシート１を分別して廃棄する際に一対の切離し線5a,5bを切り離してシート抜出開口６を形成することができるようになっている。
【００３３】
そして、この実施例２のロール型包装体ＰRにおいては、特に図５及び図６に示されているように、前記本体部10に保持されたＰＴＰシート１の収容部1aの外側に位置し、このロール型包装体ＰRの正面となる正面保護シート部11には、ＰＴＰシート１の収容部1aを外部から観察するための観察孔16が形成されており、梱包・搬送時や患者等の使用者が使用するまでの間、ロール型包装形態を解くことなく、外部からＰＴＰシート１の収容部1aを観察できるようになっている。なお、この実施例２に係るロール型包装体ＰRにおいては、前記正面保護シート部11上に、使用者向け情報７として服用日情報7aが表示されている。
【００３４】
また、この実施例２のロール型包装体ＰRにおいては、特に図６〜図８に示されているように、前記開放口保護シート部12に２つのリブ形成シート部17a,17bと補強シート18とがそれぞれ折曲げ線19a,19b,19cを介して設けられており、これら折曲げ線19a,19b,19cで折り曲げて前記補強シート部18を開放口保護シート部12に貼り付ける際に、前記２のリブ形成シート部17a,17bと開放口保護シート部12とで断面三角形状の補強リブ部20が形成され、この補強リブ部20によって前記保護空間15を形成する一方の空間形成シート部13aが補強され、結果としてＰＴＰシート１を保護する保護空間15の形状を補強する構造になっている。
なお、前記開放口保護シート部12と補強シート18との間に折曲げ線を介して設けられるリブ形成シート部については、２つに限らず、３つあるいは必要によりそれ以上の条数で設けてもよく、例えば３つのリブ形成シート部を設けた場合には、断面四角形状の補強リブ部が形成されることになり、定数が増加するにつれて形成される補強リブ部の断面形状は五角形状、六角形状へと順次多角形状になる。
【００３５】
更に、この実施例２のロール型包装体ＰRにおいては、特に図６〜図８に示されているように、前記本体部10を形成する一対の保持シート部２のうちの他方の裏面側保持シート部2bには空間補強シート部21が折曲げ線22aを介して連接され、また、この空間補強シート部21にはその側縁端中央部に係合片23が折曲げ線22bを介して形成されており、前記空間補強シート部21が前記一方の表面側保持シート部2aと正面保護シート部11との間に位置する空間形成シート部13aに重ねて糊付部28で貼着され、これによってこの空間形成シート部13aを補強し、結果としてＰＴＰシート１を保護する保護空間15の形状を補強する構造になっており、更に、前記断面三角形状の補強リブ部20には前記係合片23に対応する位置に係止孔24が形成されており、この係止孔24内に係合片23を嵌入することにより簡易的にロール型包装形態を維持できるようになっている。なお、図中符号25は、ロール型包装形態を解除して展開状態にする際に利用される台形状の把持片であり、また、符号26は、この把持片25を形成するために、正面保護シート部11に設けられた切欠き孔であり、更に、符号27は一対の保持シート部2a,2bの間の折曲げ線であり、そして、図５中の符号28は糊付部である。
【００３６】
加えて、この実施例２のロール型包装体ＰRは、前記本体部10を形成する一対の保持シート部２(2a,2b)、前記正面保護シート部11、前記開放口保護シート部12、前記一対の空間形成シート部13a,13b、前記２つのリブ形成シート部17a,17b、前記補強シート部18、前記空間補強シート部21、及び前記係合片23からなる全ての構成部分が、それぞれ折曲げ線14a,14b,14c, 14d,19a,19b,19c,22a,22b,27を介して連接した１枚の包装材料シートからなり、この１枚の包装材料シートをこれらの折曲げ線14a,14b,14c,14d, 19a,19b,19c,22a,22b,27を介して上下方向に折り曲げ、一対の保持シート部2a,2bの間にＰＴＰシート１を挟んでこれらの間の所定の位置を糊付部28で貼着し、また、前記開放口保護シート部12と前記補強シート部18との間を糊付部28で貼着し、更に、前記一方の空間形成シート部13aと前記空間補強シート部21との間を糊付部28で貼着することにより形成されており、ＰＴＰシート１の包装を機械化する上で好適な構造になっている。
【００３７】
ここで、図９〜図１１に基づいて、以下に上記実施例２のロール型包装体ＰRの製造方法を説明する。
図９及び図１０に、ロール型包装体ＰRを製造する際に用いる１枚の厚紙製の包装材料シートが示されており、この包装材料シートは、原材料の厚紙から打ち抜かれて形成されたものであり、図示外のＰＴＰシートを挟んで保持する本体部10を形成する一対の保持シート部2a,2bと、前記正面保護シート部11、前記開放口保護シート部12、前記一対の空間形成シート部13a,13b、前記２つのリブ形成シート部17a,17b、前記補強シート部18、前記空間補強シート部21、及び前記係合片23からなる全ての構成部分を含むものであり、一対の保持シート部2a,2bのうちの一方の表面側保持シート部2aには一方の空間形成シート部13aを介して正面保護シート部11が連接され、また、この正面保護シート部11には他方の空間形成シート部13bを介して開放口保護シート部12が連接され、更に、この開放口保護シート部12には２のリブ形成シート部17a,17bを介して補強シート部18が連接されている。また、一対の保持シート部2a,2bのうちの他方の裏面側保持シート部2bには空間補強シート部21が連接されていると共にその側縁端中央部に係合片23が連接されている。
【００３８】
また、上記の包装材料シートは、上記の各構成部分の全てがそれぞれ折曲げ線14a,14b,14c,14d,19a,19b,19c,22a,22b,27を介して連接されており、また、前記表面側保持シート部2aには収容部嵌入孔４が、開放口保護シート部12にはシート抜出開口６を形成するための切離し線5a,5bが、正面保護シート部11には観察孔16が、前記断面三角形状の補強リブ部20を形成するための２のリブ形成シート部17a,17bの間にはその間の折曲げ線19bを分断するように係止孔24が、それぞれ形成されている。また、前記表面側保持シート部2aと正面保護シート部11との間の一方の空間形成シート部13aの略中央部には、切欠き孔26を形成することにより、正面保護シート部11側に接続して表面側保持シート部2aが切り離された把持片25が形成されている。なお、図１１に示された符号29は、１枚の包装材料シートを折り曲げてロール型包装体ＰRを製造する際に、このロール型包装体ＰRをその展開状態に開く際に把持片25が引っ掛かって折れ曲がるのを防ぐために、空間補強シート部21に形成された貫通孔である。
【００３９】
そして、ロール型包装体ＰRの製造に際しては、図１１の分解組立図に示すように、先ず、ＰＴＰシートの収容部を表面側保持シート部2aの収容部嵌入孔４内に嵌入させ、表面側保持シート部2aと裏面側保持シート部2bとの間の折曲げ線27に沿って折り曲げてこれら表面側保持シート2aと裏面側保持シート部2bとの間にＰＴＰシートを挟み込み、図示外のＰＴＰシート挟持部３Cが形成されるように左側縁部３L及び右側縁部３Rにおいてこれら表面側保持シート部2aと裏面側保持シート部2bとの間を糊付部28により貼着し、ＰＴＰシートを保持した本体部10を形成し、また、この際に、裏面側保持シート部2bに連接した空間補強シート部21を一方の空間形成シート部13aに糊付部28により貼着する。（工程１）
【００４０】
次に、開放口保護シート部12に連接された２のリブ形成シート部17a,17b及び補強シート部18を、折曲げ線19a,19b,19cを介して、前記表面側保持シート部2aの側に折り曲げ、次いでこの補強シート部18を開放口保護シート部12に糊付部28により貼着し、断面三角形状の補強リブ部20を形成し、図７に示す展開状態表面側の状態にする。（工程２）
【００４１】
この図７に示す展開状態表面側の状態から、更に、本体部10の表面側保持シート部2aと一方の空間形成シート部13aとを、折曲げ線14a,14b及び折曲げ線22a,22bを介して、正面保護シート部11の裏面側に折り曲げると共に、他方の空間形成シート部13bと前記開放口保護シート部12を、折曲げ線14c,14dを介して、正面保護シート部11の裏面側に折り曲げられた本体部10の裏面側保持シート部2bの上に折り曲げて重ね合わせ、これら正面保護シート部11、開放口保護シート部12、及び一対の空間形成シート部13a,13bにより保護空間15を形成し、この保護空間15を備えたロール型包装形態にする。そして、このロール型包装形態を形成する際に、係止片23を断面三角形状の補強リブ部20に形成された係止孔24内に嵌入させ、形成されたロール型包装形態が維持されるようにし、ロール型包装体ＰRを完成させる。（工程３）
【００４２】
従って、この実施例２のロール型包装体ＰRによれば、その展開状態において、その表面側には表面側保持シート部2aの表面、正面保護シート部11の裏面、及び開放口保護シート部12に糊付部28で貼着された補強シート部18の表面がそれぞれ露出し、また、その裏面側には裏面側保持シート部2bの表面、正面保護シート部11の表面、及び開放口保護シート部12の表面がそれぞれ露出し、様々な使用者向け情報を表示するための十分な領域を確保することができるだけでなく、実施例１のシート状包装体ＰSが有する利点をそのまま備えており、更に、ＰＴＰシート１が保護空間15内に位置して保護されることから、梱包・搬送時の効率化を図ることができ、また、梱包・搬送時の取扱性にも優れている。
【符号の説明】
【００４３】
ＰS…シート状包装体、１…ＰＴＰシート、1a…収容部、1b…薄膜部、1c…開放口、２…一対の保持シート（一対の保持シート部）、2a…表面側保持シート（表面側保持シート部）、2b…裏面側保持シート（裏面側保持シート部）、３C…ＰＴＰシート挟持部、３L…左側縁部、３R…右側縁部、3d…開封部、４…収容部嵌入孔、5a,5b…切離し線、６…シート抜出開口、７ …使用者向け情報、８…把持部。
【００４４】
ＰR…ロール型包装体、7a …服用日情報（使用者向け情報）、９…被包装物取出孔、10…本体部、11…正面保護シート部、12…開放口保護シート部、13a,13b…空間形成シート部、14a,14b,14c,14d…折曲げ線、15 …保護空間、16…観察孔、17a,17b…リブ形成シート部、18…補強シート部、19a,19b,19c…折曲げ線、20…補強リブ部、21…空間補強シート部、22a,22b…折曲げ線、23…係合片、24…係止孔、25…把持片、26…切欠き孔、27…折曲げ線、28…糊付部、29…貫通孔。
【図１】
2020121811.tif 000003
【図２】
2020121811.tif 000004
【図３】
2020121811.tif 000005
【図４】
2020121811.tif 000006
【図５】
2020121811.tif 000007
【図６】
2020121811.tif 000008
【図７】
2020121811.tif 000009
【図８】
2020121811.tif 000010
【図９】
2020121811.tif 000011
【図１０】
2020121811.tif 000012
【図１１】
2020121811.tif 000013